(57)【要約】【課題】                 足踏式の発電機で発電した電力を蓄電池に蓄電する足踏式発電健康装置において、発電しないときに、家庭用電源から蓄電池を充電すると、健康維持運動が疎かになり、健康器具としての役割を果たせない課題があると共に、家庭用電源を使用すると結果として自然環境に負担をかける課題がある。【解決手段】            足踏式駆動力により発電する発電機８３の発電電流を蓄電池３６に供給すると共に該蓄電池３６に自然エネルギ電源５２、５５から電流制御回路８５を介して補充電流を補給するようになし、補給電流を前記発電電流に対応して蓄電池３６に補給するように制御してなる足踏式発電健康装置。  【選択図】                図１２
2007185487.tif 000002
【特許請求の範囲】
【請求項１】
足踏式駆動力により発電する発電機の足踏発電電流を蓄電する蓄電池を着脱困難に一体に有する装置本体に、装置本体のほぼ全体を覆うカバー体を設け、該カバー体に前記蓄電池に補給電流を補給する自然エネルギー発電システムを設けてなる自然エネルギー発電カバー体付足踏式発電健康装置。
【請求項２】
請求項１に記載の自然エネルギー発電カバー体付足踏式発電健康装置において、自然エネルギー発電システムがカバー体の表面に外光に向かって設けた太陽電池からなる自然エネルギー発電カバー体付足踏式発電健康装置。
【請求項３】
請求項１又は２に記載の自然エネルギー発電カバー体付足踏式発電健康装置において、カバー体の天板部に拡張天板部を設け、該拡張天板部に太陽電池が設けてある自然エネルギー発電カバー体付足踏式発電健康装置。
【請求項４】
請求項１、２又は３に記載の自然エネルギー発電カバー体付足踏式発電健康装置において、自然エネルギー発電システムが風力発電装置からなる自然エネルギー発電カバー体付足踏式発電健康装置。
【請求項５】
請求項４に記載の自然エネルギー発電カバー体付足踏式発電健康装置において、風力発電装置が交流発電機を有し、蓄電池に交流発電機の交流電源からＡＣ／ＤＣコンバータを介して補給電流を補給可能にした自然エネルギー発電カバー体付足踏式発電健康装置。
【請求項６】
請求項４又は５に記載の自然エネルギー発電カバー体付足踏式発電健康装置において、風力発電装置が風速計を具備することからなる自然エネルギー発電カバー体付足踏式発電健康装置。
【請求項７】
請求項４乃至６のいずれかに記載の自然エネルギー発電カバー体付足踏式発電健康装置において、風力発電装置が風向計を具備することからなる自然エネルギー発電カバー体付足踏式発電健康装置。
【請求項８】
請求項４乃至７のいずれかに記載の自然エネルギー発電カバー体付足踏式発電健康装置において、風力発電装置を着脱可能に設けてなる自然エネルギー発電カバー体付足踏式発電健康装置。
【請求項９】
請求項１乃至８のいずれかに記載の自然エネルギー発電カバー体付足踏式発電健康装置において、蓄電する補給電流を前記足踏発電電流に対応して補給するように制御してなる自然エネルギー発電カバー体付足踏式発電健康装置。
【請求項１０】
請求項９に記載の自然エネルギー発電カバー体付足踏式発電健康装置において、足踏発電電流と補給電流の和が一定以上の場合には一定以上の蓄電池に供給する電流を放電するように制御してなる自然エネルギー発電カバー体付足踏式発電健康装置。
【請求項１１】
請求項１０に記載の自然エネルギー発電カバー体付足踏式発電健康装置において、補給電流を放電するように制御してなる自然エネルギー発電カバー体付足踏式発電健康装置。
【請求項１２】
請求項１０又は１１に記載の自然エネルギー発電カバー体付足踏式発電健康装置において、放電電流によりカバー体に設けたライト、扇風機、警報機等の電気機器を作動するように制御してなる自然エネルギー発電カバー体付足踏式発電健康装置。
【請求項１３】
請求項１０乃至１２のいずれかに記載の自然エネルギー発電カバー体付足踏式発電健康装置において、足踏発電電流が一定以下の場合には補給電流の放電をゼロになるように制御してなる自然エネルギー発電カバー体付足踏式発電健康装置。
【請求項１４】
請求項１乃至１３のいずれかに記載の自然エネルギー発電カバー体付足踏式発電健康装置において、足踏発電電流に補給電流が比例又は反比例して増減するように選択的に増減制御可能にしてなる自然エネルギー発電カバー体付足踏式発電健康装置。
【請求項１５】
請求項１乃至１４のいずれかに記載の自然エネルギー発電カバー体付足踏式発電健康装置において、装置本体が走行可能な三輪以上の車輪を有することからなる自然エネルギー発電カバー体付足踏式発電健康装置。
【請求項１６】
請求項１５に記載の自然エネルギー発電カバー体付足踏式発電健康装置において、装置本体が足踏駆動可能な駆動軸に車輪を有する自転車からなる自然エネルギー発電カバー体付足踏式発電健康装置。
【請求項１７】
請求項１６に記載の自然エネルギー発電カバー体付足踏式発電健康装置において、風力発電装置をカバー体の後部側に設けてなる自然エネルギー発電カバー体付足踏式発電健康装置。
【請求項１８】
請求項１乃至１７のいずれかに記載の自然エネルギー発電カバー体付足踏式発電健康装置において、足踏式走行駆動機構を自転車の駆動軸に設けてなる自転車型の自然エネルギー発電カバー体付足踏式発電健康装置。
【請求項１９】
請求項１乃至１８のいずれかに記載の自然エネルギー発電カバー体付足踏式発電健康装置において、蓄電池からカバー体の電気機器に電気を供給するようにしてなる自然エネルギー発電カバー体付足踏式発電健康装置。
【請求項２０】
請求項１９に記載の自然エネルギー発電カバー体付足踏式発電健康装置において、蓄電池から電気の供給を受けるカバー体の電気機器が足踏駆動機構の駆動回転軸に設けた駆動モーターからなる自然エネルギー発電カバー体付足踏式発電健康装置。
【請求項２１】
請求項１乃至２０のいずれかに記載の自然エネルギー発電カバー体付足踏式発電健康装置において、発電機の駆動軸と足踏駆動機構を、足踏駆動機構側からのみ足踏駆動方向に連動回転するように連結してなる自然エネルギー発電カバー体付足踏式発電健康装置。
【請求項２２】
請求項１乃至２１のいずれかに記載の足踏式発電健康装置において、発電機を足踏式走行駆動機構の駆動軸に設けてなる自転車型の足踏式発電健康装置。
【請求項２３】
請求項１乃至２２のいずれかに記載の自然エネルギー発電カバー体付足踏式発電健康装置において、発電時に、発電機から蓄電池に供給する足踏発電電流を増減制御することにより補給電流を増減するように制御してなる自然エネルギー発電カバー体付足踏式発電健康装置。
【請求項２４】
請求項１乃至２３のいずれかに記載の自然エネルギー発電カバー体付足踏式発電健康装置において、外部に設けた家庭用電源と装置本体との間に接続手段を設けてないことからなる自然エネルギー発電カバー体付足踏式発電健康装置。
【請求項２５】
請求項１乃至２４のいずれかに記載の自然エネルギー発電カバー体付足踏式発電健康装置において、蓄電池がキャパシターからなる自然エネルギー発電カバー体付足踏式発電健康装置。
【発明の詳細な説明】
【技術分野】
【０００１】
本発明は、自然エネルギー発電カバー体付足踏式発電健康装置に関する。
【背景技術】
【０００２】
従来、足踏式の発電健康装置として、特許第２９４２７４８号公報には、定置固定式の足踏式運動器具において、整流回路及び可変負荷回路を介してバッテリーに供給する発電機の足踏発電電流を増減制御する運動器具は記載されている。
足踏式の発電健康装置は、発電機を設けることで運動を電力として蓄えることができるが、屋外に出られないから室内で使用されている。
足踏式の自走移動装置としては、電池で駆動モーターを駆動し足踏走行を補助する電動アシスト自転車が知られているが、この自転車に前記駆動モーターとは別体に発電機を設けて前記駆動モーターの電池を充電可能としたものが、特開２００１−１９１９７６号により提案されている。
【特許文献１】特許第２９４２７４８号公報
【特許文献２】特開２００１−１９１９７６号公報
【発明の開示】
【発明が解決しようとする課題】
【０００３】
足踏式の発電機の発電した電力を蓄電池に供給して蓄電することができるようになした足踏式発電健康装置において、発電健康装置に車輪を設けて、蓄電池に蓄電した電力を使って駆動モーターを駆動し屋外を自走するには、多大の電力を必要とし、自家発電だけでは長距離走行ができないから、足踏式に発電しないときに、前もって家庭用電源から蓄電池を充電する場合、足踏駆動機構による健康維持運動が疎かになり、健康器具としての役割を果たせない課題があると共に、化石燃料を燃やして発電する家庭用電源を使用する結果としてＣＯ２による環境汚染や自然環境に負担をかける課題がある。
【課題を解決するための手段】
【０００４】
そこで、本発明は、請求項１に記載のように、足踏式駆動力により発電する発電機の足踏発電電流を蓄電する蓄電池を着脱困難に一体に有する装置本体に、装置本体のほぼ全体を覆うカバー体を設け、該カバー体に前記蓄電池に補給電流を補給する自然エネルギー発電システムを設けてなる自然エネルギー発電カバー体付足踏式発電健康装置を提供するものである。
【０００５】
また、本発明は、請求項２に記載のように、請求項１に記載の自然エネルギー発電カバー体付足踏式発電健康装置において、自然エネルギー発電システムがカバー体の表面に外光に向かって設けた太陽電池からなる自然エネルギー発電カバー体付足踏式発電健康装置を提供するものである。
【０００６】
また、本発明は、請求項３に記載のように、請求項１又は２に記載の自然エネルギー発電カバー体付足踏式発電健康装置において、カバー体の天板部に拡張天板部を設け、該拡張天板部に太陽電池が設けてある自然エネルギー発電カバー体付足踏式発電健康装置を提供するものである。
【０００７】
また、本発明は、請求項４に記載のように、請求項１、２又は３に記載の自然エネルギー発電カバー体付足踏式発電健康装置において、自然エネルギー発電システムが風力発電装置からなる自然エネルギー発電カバー体付足踏式発電健康装置を提供するものである。
【０００８】
また、本発明は、請求項５に記載のように、請求項４に記載の自然エネルギー発電カバー体付足踏式発電健康装置において、風力発電装置が交流発電機を有し、蓄電池に交流発電機の交流電源からＡＣ／ＤＣコンバータを介して補給電流を補給可能にした自然エネルギー発電カバー体付足踏式発電健康装置を提供するものである。
【０００９】
また、本発明は、請求項６に記載のように、請求項４又は５に記載の自然エネルギー発電カバー体付足踏式発電健康装置において、風力発電装置が風速計を具備することからなる自然エネルギー発電カバー体付足踏式発電健康装置を提供するものである。
【００１０】
また、本発明は、請求項７に記載のように、請求項４乃至６のいずれかに記載の自然エネルギー発電カバー体付足踏式発電健康装置において、風力発電装置が風向計を具備することからなる自然エネルギー発電カバー体付足踏式発電健康装置を提供するものである。
【００１１】
また、本発明は、請求項８に記載のように、請求項４乃至７のいずれかに記載の自然エネルギー発電カバー体付足踏式発電健康装置において、風力発電装置を着脱可能に設けてなる自然エネルギー発電カバー体付足踏式発電健康装置を提供するものである。
【００１２】
また、本発明は、請求項９に記載のように、請求項１乃至８のいずれかに記載の自然エネルギー発電カバー体付足踏式発電健康装置において、蓄電する補給電流を前記足踏発電電流に対応して補給するように制御してなる自然エネルギー発電カバー体付足踏式発電健康装置を提供するものである。
【００１３】
また、本発明は、請求項１０に記載のように、請求項９に記載の自然エネルギー発電カバー体付足踏式発電健康装置において、足踏発電電流と補給電流の和が一定以上の場合には一定以上の蓄電池に供給する電流を放電するように制御してなる自然エネルギー発電カバー体付足踏式発電健康装置を提供するものである。
【００１４】
また、本発明は、請求項１１に記載のように、請求項１０に記載の自然エネルギー発電カバー体付足踏式発電健康装置において、補給電流を放電するように制御してなる自然エネルギー発電カバー体付足踏式発電健康装置を提供するものである。
【００１５】
また、本発明は、請求項１２に記載のように、請求項１０又は１１に記載の自然エネルギー発電カバー体付足踏式発電健康装置において、放電電流によりカバー体に設けたライト、扇風機、警報機等の電気機器を作動するように制御してなる自然エネルギー発電カバー体付足踏式発電健康装置を提供するものである。
【００１６】
また、本発明は、請求項１３に記載のように、請求項１０乃至１２のいずれかに記載の自然エネルギー発電カバー体付足踏式発電健康装置において、足踏発電電流が一定以下の場合には補給電流の放電をゼロになるように制御してなる自然エネルギー発電カバー体付足踏式発電健康装置を提供するものである。
【００１７】
また、本発明は、請求項１４に記載のように、請求項１乃至１３のいずれかに記載の自然エネルギー発電カバー体付足踏式発電健康装置において、足踏発電電流に補給電流が比例又は反比例して増減するように選択的に増減制御可能にしてなる自然エネルギー発電カバー体付足踏式発電健康装置を提供するものである。
【００１８】
また、本発明は、請求項１５に記載のように、請求項１乃至１４のいずれかに記載の自然エネルギー発電カバー体付足踏式発電健康装置において、装置本体が走行可能な三輪以上の車輪を有することからなる自然エネルギー発電カバー体付足踏式発電健康装置を提供するものである。
【００１９】
また、本発明は、請求項１６に記載のように、請求項１５に記載の自然エネルギー発電カバー体付足踏式発電健康装置において、装置本体が足踏駆動可能な駆動軸に車輪を有する自転車からなる自然エネルギー発電カバー体付足踏式発電健康装置を提供するものである。
【００２０】
また、本発明は、請求項１７に記載のように、請求項１６に記載の自然エネルギー発電カバー体付足踏式発電健康装置において、風力発電装置をカバー体の後部側に設けてなる自然エネルギー発電カバー体付足踏式発電健康装置を提供するものである。
【００２１】
また、本発明は、請求項１８に記載のように、請求項１乃至１７のいずれかに記載の自然エネルギー発電カバー体付足踏式発電健康装置において、足踏式走行駆動機構を自転車の駆動軸に設けてなる自転車型の自然エネルギー発電カバー体付足踏式発電健康装置を提供するものである。
【００２２】
また、本発明は、請求項１９に記載のように、請求項１乃至１８のいずれかに記載の自然エネルギー発電カバー体付足踏式発電健康装置において、蓄電池からカバー体に設けた電気機器に電気を供給するようにしてなる自然エネルギー発電カバー体付足踏式発電健康装置を提供するものである。
【００２３】
また、本発明は、請求項２０に記載のように、請求項１９に記載の自然エネルギー発電カバー体付足踏式発電健康装置において、蓄電池から電気の供給を受けるカバー体に設けた電気機器が足踏駆動機構の駆動回転軸に設けた駆動モーターからなる自然エネルギー発電カバー体付足踏式発電健康装置を提供するものである。
【００２４】
また、本発明は、請求項２１に記載のように、請求項１乃至２０のいずれかに記載の自然エネルギー発電カバー体付足踏式発電健康装置において、発電機の駆動軸と足踏駆動機構を、足踏駆動機構側からのみ足踏駆動方向に連動回転するように連結してなる自然エネルギー発電カバー体付足踏式発電健康装置を提供するものである。
【００２５】
また、本発明は、請求項２２に記載のように、請求項１乃至２１のいずれかに記載の自然エネルギー発電カバー体付足踏式発電健康装置において、発電機を足踏式走行駆動機構の駆動軸に設けてなる自転車型の自然エネルギー発電カバー体付足踏式発電健康装置を提供するものである。
【００２６】
また、本発明は、請求項２３に記載のように、請求項１乃至２２のいずれかに記載の自然エネルギー発電カバー体付足踏式発電健康装置において、発電時に、発電機から蓄電池に供給する足踏発電電流を増減制御することにより補給電流を増減するように制御してなる自然エネルギー発電カバー体付足踏式発電健康装置を提供するものである。
【００２７】
また、本発明は、請求項２４に記載のように、請求項１乃至２３のいずれかに記載の自然エネルギー発電カバー体付足踏式発電健康装置において、外部に設けた家庭用電源と装置本体との間に接続手段を設けてないことからなる自然エネルギー発電カバー体付足踏式発電健康装置を提供するものである。
【００２８】
また、本発明は、請求項２５に記載のように、請求項１乃至２４のいずれかに記載の自然エネルギー発電カバー体付足踏式発電健康装置において、蓄電池がキャパシターからなる自然エネルギー発電カバー体付足踏式発電健康装置を提供するものである。
【発明の効果】
【００２９】
本発明に係る自然エネルギー発電カバー体付足踏式発電健康装置によれば、請求項１に記載のように、足踏式駆動力により発電する発電機の足踏発電電流を蓄電する蓄電池を着脱困難に一体に有する装置本体に、装置本体のほぼ全体を覆うカバー体を設け、該カバー体に前記蓄電池に補給電流を補給する自然エネルギー発電システムを設けてなる構成を有することにより、足踏式の健康装置において足踏駆動力により発電した足踏発電電流を蓄電池に蓄電することができると共に、前記足踏式健康装置のほぼ全体を覆う自然エネルギー発電システムを有する自然エネルギー発電カバー体で発電した補給電流を蓄電池に補給することができるから、足踏発電以上の電力が得られ、足踏駆動しない休憩時や屋外に放置状態のときもカバー体によって蓄電池に充電を継続することができ、化石燃料を燃やして発電する家庭用電願による充電を行わないで済み、ＣＯ２による環境汚染の問題も回避できる効果がある。
【００３０】
また、本発明は、請求項２に記載のように、請求項１に記載の自然エネルギー発電カバー体付足踏式発電健康装置において、自然エネルギー発電システムがカバー体の表面に外光に向かって設けた太陽電池からなる構成を有することにより、屋内照明時や昼間時にカバー体と一体な太陽電池により蓄電池に充電することができる効果がある。
【００３１】
また、本発明は、請求項３に記載のように、請求項１又は２に記載の自然エネルギー発電カバー体付足踏式発電健康装置において、カバー体の天板部に拡張天板部を設け、該拡張天板部に太陽電池が設けてある構成を有することにより、カバー体の窓から差し込む日照をサンバイザーで遮光している間に太陽電池により蓄電池に充電することができる効果がある。
【００３２】
また、本発明は、請求項４に記載のように、請求項１、２又は３に記載の自然エネルギー発電カバー体付足踏式発電健康装置において、自然エネルギー発電システムが風力発電装置からなる構成を有することにより、発電装置本体が風に晒されている状況にあれば、室内、室外、雨天や晴天、昼間、夜間を問わずに、風力発電によって蓄電池に充電することができる効果がある。
【００３３】
また、本発明は、請求項５に記載のように、請求項４に記載の自然エネルギー発電カバー体付足踏式発電健康装置において、風力発電装置が交流発電機を有し、蓄電池に交流発電機の交流電源からＡＣ／ＤＣコンバータを介して補給電流を補給可能にした構成を有することにより、交流発電機を有する風力発電装置により蓄電池に補給電流を蓄電することができる効果がある。
【００３４】
また、本発明は、請求項６に記載のように、請求項４又は５に記載の自然エネルギー発電カバー体付足踏式発電健康装置において、風力発電装置が風速計を具備することからなる構成を有することにより、装置本体の置かれている場所の風速情報が瞬時に分かる効果がある。
また、本発明は、請求項７に記載のように、請求項４乃至６のいずれかに記載の自然エネルギー発電カバー体付足踏式発電健康装置において、風力発電装置が風向計を具備することからなる構成を有することにより、装置本体の置かれている場所の風向き情報が瞬時に分かる効果がある。
【００３５】
また、本発明は、請求項８に記載のように、請求項４乃至７のいずれかに記載の自然エネルギー発電カバー体付足踏式発電健康装置において、風力発電装置を着脱可能に設けてなる構成を有することにより、風力発電装置を状況に応じて着脱して使用することができる効果がある。
【００３６】
また、本発明は、請求項９に記載のように、請求項１乃至８のいずれかに記載の自然エネルギー発電カバー体付足踏式発電健康装置において、蓄電する補給電流を前記足踏発電電流に対応して補給するように制御してなる構成を有することにより、例えば、足踏電流量が大きいときには蓄電する補給電流量を小さくし、足踏電流量が小さいときには補給電流量を大きくすることによって、効率よく蓄電池に蓄電できるように制御することができる効果がある。
【００３７】
また、本発明は、請求項１０に記載のように、請求項９に記載の自然エネルギー発電カバー体付足踏式発電健康装置において、足踏発電電流と補給電流の和が一定以上の場合には一定以上の蓄電池に供給する電流を放電するように制御してなる構成を有することにより、蓄電池に対して充電に必要な電流量以上の電流を供給することなく、過剰な電流を装置本体に付帯する他の電気機器等に放電して効率よく蓄電することができる効果がある。
【００３８】
また、本発明は、請求項１１に記載のように、請求項１０に記載の自然エネルギー発電カバー体付足踏式発電健康装置において、補給電流を放電するように制御してなる構成を有することにより、足踏発電電流と補給電流の和が一定以上の場合には、補給電流を放電して一定以上の蓄電池に供給する電流を制御することができる効果がある。
【００３９】
また、本発明は、請求項１２に記載のように、請求項１０又は１１に記載の自然エネルギー発電カバー体付足踏式発電健康装置において、放電電流によりカバー体に設けたライト、扇風機、警報機等の電気機器を作動するように制御してなる構成を有することにより、放電電流によりカバー体に設けたライト、扇風機、警報機等の電気機器を必要に応じて作動することができる効果がある。
【００４０】
また、本発明は、請求項１３に記載のように、請求項１０乃至１２のいずれかに記載の自然エネルギー発電カバー体付足踏式発電健康装置において、足踏発電電流が一定以下の場合には補給電流の放電をゼロになるように制御してなる構成を有することにより、足踏発電電流が一定以下の場合には補給電流の放電をゼロになるように制御して蓄電池の充電をすることができる効果がある。
【００４１】
また、本発明は、請求項１４に記載のように、請求項１乃至１３のいずれかに記載の自然エネルギー発電カバー体付足踏式発電健康装置において、足踏発電電流に補給電流が比例又は反比例して増減するように選択的に増減制御可能にしてなる構成を有することにより、足踏発電電流が少ないときには補給電流の供給を増大し、多いときには減少するように選択して増減制御することができる効果がある。
【００４２】
また、本発明は、請求項１５に記載のように、請求項１乃至１４のいずれかに記載の自然エネルギー発電カバー体付足踏式発電健康装置において、装置本体が移動可能な三輪以上の車輪を有することからなる構成を有することにより、健康装置を三輪以上の車輪で支持して安定した状態で移動することができる効果がある。
また、本発明は、請求項１６に記載のように、請求項１５に記載の自然エネルギー発電カバー体付足踏式発電健康装置において、装置本体が足踏駆動可能な駆動軸に車輪を有する自転車からなる構成を有することにより、自転車の足踏駆動軸によって足踏駆動発電を行うことができる効果がある。
【００４３】
また、本発明は、請求項１７に記載のように、請求項１６に記載の自然エネルギー発電カバー体付足踏式発電健康装置において、風力発電装置をカバー体の後部側に設けてなる構成を有することにより、風力発電装置がカバー体の前窓の視野を遮らない効果があると共に、後輪を重くし、前輪の荷重を軽くする効果がある。
【００４４】
また、本発明は、請求項１８に記載のように、請求項１乃至１７のいずれかに記載の自然エネルギー発電カバー体付足踏式発電健康装置において、足踏式走行駆動機構を自転車の駆動軸に設けてなる自転車型の構成を有することにより、自転車の足踏駆動に対応して蓄電することができる効果がある。
【００４５】
また、本発明は、請求項１９に記載のように、請求項１乃至１８のいずれかに記載の自然エネルギー発電カバー体付足踏式発電健康装置において、蓄電池から他の電気機器に電流を供給するようにしてなる構成を有することにより、蓄電池からの電流の供給により電気機器を作動させることができる効果がある。
【００４６】
また、本発明は、請求項２０に記載のように、請求項１９に記載の自然エネルギー発電カバー体付足踏式発電健康装置において、蓄電池から電流の供給を受ける他の電気機器が足踏駆動機構の駆動回転軸に設けた駆動モーターからなる構成を有することにより、健康装置の足踏駆動回転軸を蓄電池からの電流によって補助駆動することができる効果がある。足踏式発電健康装置を提供するものである。
【００４７】
また、本発明は、請求項２１に記載のように、請求項１乃至２０のいずれかに記載の自然エネルギー発電カバー体付足踏式発電健康装置において、発電機の駆動軸と足踏駆動機構を、足踏駆動機構側からのみ足踏駆動方向に連動回転するように連結してなる構成を有することにより、足踏走行時には前記発電機の駆動軸を足踏回転して発電しながら走行できる一方、発電機の駆動軸の高速回転時や慣性弾み車による回転では足踏駆動を止めて交流電源からの補給電流の供給を止めて、発電機のみの発電により蓄電池への充電を可能にしながら足を休めることができる効果がある。
【００４８】
また、本発明は、請求項２２に記載のように、請求項１乃至２１のいずれかに記載の自然エネルギー発電カバー体付足踏式発電健康装置において、発電機を足踏式走行駆動機構の駆動軸に設けてなる構成を有することにより、足踏式発電健康装置を走向させながら、足踏式走行駆動機構の駆動軸に設けた発電機を駆動して走行速度や走向路の傾斜や路面状況に対応して、蓄電池に供給する供給電流を増減制御することができる効果がある。
【００４９】
また、本発明は、請求項２３に記載のように、請求項１乃至２２のいずれかに記載の自然エネルギー発電カバー体付足踏式発電健康装置において、発電時に、発電機から蓄電池に供給する足踏発電電流を増減制御することにより補給電流を増減するように制御してなる構成を有することにより、足踏運動による発電機の足踏発電電流を増減制御して、カバー体からの補給電流を増減制御して蓄電池の蓄電状況を適宜に制御することができる効果がある。
【００５０】
また、本発明は、請求項２４に記載のように、請求項１乃至２３のいずれかに記載の自然エネルギー発電カバー体付足踏式発電健康装置において、外部に設けた家庭用電源と装置本体との間に接続手段を設けてないことからなる構成を有することにより、外部の家庭用電源から蓄電池を充電することができないから、足踏駆動機構による蓄電と健康維持運動が欠かせないと共に、家庭用電源として商用電力を使用しない結果として自然環境に負担をかけない効果がある。
【００５１】
また、本発明は、請求項２５に記載のように、請求項１乃至２４のいずれかに記載の自然エネルギー発電カバー体付足踏式発電健康装置において、蓄電池がキャパシターからなる構成を有することにより、充電と放電を短時間に行うことができ、太陽電池や風力発電装置と組み合わせることによって力を発揮する効果がある。
【発明を実施するための最良の形態】
【００５２】
以下図示する実施例のより本発明を説明する。
【実施例１】
【００５３】
図において、１は装置本体フレームで、その前部傾斜部２の先端は前輪操舵軸３の軸受部材４に一体に固定してあり、中間湾曲部５から後方は後部水平部６として後輪支持フレーム７に一体に固定してある。
前輪操舵軸３には軸受部材４の下方においてヨーク状の前輪支持フレーム８が一体に連結してあり、前輪１０の車軸を前輪支持フレーム８の下端部に設けたハブ９により回転自在に支持している。
【００５４】
後輪支持フレーム７には、水平方向に左右２本２組の後輪取付フレーム１１が水平方向に設けてあり、その先端部のハブ１２によって２個の後輪１３の車軸を回転自在に支持している。
装置本体フレーム１の後部水平部６と後輪支持フレーム７とは、後輪１３を持ち上げて空転状態にすることができるように、別体として設けたスタンド部材で支持することができるように構成してあり、発電健康装置として室内等において固定した状態で、ペダル２４による足踏駆動により後輪１３を回転させて運動ができるように構成してある。
【００５５】
また、装置本体フレーム１の後部水平部６と後輪支持フレーム７とは、荷重を弾性的に受け止めることができるように、適宜な弾性変形部材を介して連結することが好ましく、また、後輪支持フレーム７と後輪取付フレーム１１との連結部もショックアブソーバ的な適宜な弾性変形部材を介して連結することが好ましい。
【００５６】
前輪操舵軸３の軸受部材４には、連結支持部材１４によって、装置本体フレーム１に沿った上方且つ後方に離れてハンドル軸１５の軸受部材１６が固定してある。１７は軸受部材１６と連結支持部材１４との連結補強部材である。連結支持部材１４の中間部は、装置本体フレーム１の前部傾斜部２上に立ち上げた支柱部材１８によって強固に支持されている。
【００５７】
ハンドル軸１５の上端部には、ハンドル１９が一体に固定してあると共に、その下端部には、軸受部材１６の下方おいてハンドル軸１５と前輪操舵軸３とを連動するように連結する連動機構２０の原動連結部２１が設けてある。他方、前輪操舵軸３の上端部には前記連動機構２０の従動連結部２２が設けてある。
【００５８】
図示の実施例の場合、前記連動機構２０は、ハンドル軸１５の下端部に設けた原動連結部であるリンク部材２１と前輪操舵軸３の上端部に設けたリンク部材２２とを互いに反対方向に作動する２本のリンク杆２３で連動するリンク連動機構で連結してあり、リンク部材２１，２２を互いに平行に、リンク杆２３を互いに平行に連結することによって、前輪操舵軸とハンドル軸とが同一回転角度で連動する平行リンク連動機構とすることができる。
【００５９】
他の連動機構の実施形態としては、ハンドル軸１５の下端部に設けた原動連結部として原動プーリ又はスプロケットを設け、前輪操舵軸３の上端部に設けた従動連結部として従動プーリ又はスプロケットを設け、両者間をタイミングベルト又はチェーン等で連結して連動機構を構成することができる。その他、歯車列機構等の連動機構を使用することも可能である。
【００６０】
これら連動機構において、原動連結部のリンク部材２１やプーリ又はスプロケットを、従動連結部のリンク部材２２やプーリ又はスプロケットより大きく、又は小さくすれば、それに対応してハンドル軸１５の回転角度より前輪操舵軸３の回転角度を大きく、又は小さく回転するように設定することができ、同じ大きさにすれば、両者が同じ回転角度で連動する平行連動機構になる。即ち、連動機構の原動連結部と従動連結部の大小の設定で、ハンドルの切れや重さを調節することができる。
なお、ハンドル軸１５及びその軸受部材１６と前輪操舵軸３及びその軸受部材４は、図示の実施例に記載の如く、円滑な連動機構２０の構成、車体のバランス及び適正な運転感覚の確保のために平行であることが好ましい。
【００６１】
また、本発明においては、ハンドル軸１５の前方の装置本体フレーム１の前部傾斜部２にペダル２４による足踏用駆動軸２５を設けてあり、その駆動スプロケット２６と、装置本体フレーム１の中間湾曲部５の近傍に設けた中継スプロケット２７との間に装置本体フレーム１に沿って第１伝動チェーン２８が巻回してあり、中継スプロケット２７と同軸の中継スプロケット２９と装置本体フレーム１の後部水平部６の後輪支持フレーム７に設けた後部スプロケット３０との間にほぼ水平に第２伝動チェーン３１が巻回してあり、後部スプロケット３１と同軸の後部スプロケット３２と後輪１３の車軸１３に設けた後輪スプロケット３３との間にほぼ水平に第３伝動チェーン３４が巻回してあり、ペダル２４により足踏用駆動軸２５を駆動することによって後輪１３を回転駆動し、走行することができるように構成してある。
【００６２】
また、後輪１３の車軸１２には、蓄電モータ３７が設けてあり、後輪１３を別体のスタンド部材で支持して発電健康装置として室内等に設置した状態で、ペダル２４による足踏駆動により後輪１３を回転させて運動すると同時に、蓄電モータ３７で蓄電池３６に発電ができるように構成することができる一方、後輪１３の車軸１２と蓄電モータ３７との間の伝動経路に任意に開閉し得るクラッチを介装し、後輪１３を開放した状態で蓄電モータ３７だけを足踏駆動により回転駆動して発電できるように構成することも可能である。
なお、蓄電モータ３７は、走行時に発電した電力を蓄電池３６に供給して蓄電することができる。
また、後輪１３の車軸１２には、駆動モータ３５を設けて、後輪支持フレーム７に載置した蓄電池３６の電力を受けて後輪１３を駆動することができるように構成することも可能であるが、蓄電モータ３７と駆動モータ３５を一体の発電・駆動モータとして構成し、クラッチの接続状体で蓄電池からの電力を供給して発電・駆動モータに動力を発生させて後輪１３をアシスト駆動することができるようにすると共に、クラッチの開放状態で足踏駆動により発電・駆動モータのロータ軸へ逆負荷による電力を発生させ、蓄電池に充電させるように構成することも可能である。
【００６３】
また、前記チェーン駆動部には、装置本体フレーム１の湾曲に沿って取付部材３８によって駆動部カバー体３９が設けてある。このハンドル軸１５の下方空間を利用して足踏用駆動軸２５に設けた駆動部カバー体３９には、前照灯や方向指示器、駆動制御等用のスイッチ類を配設することができる。４６は後部支持フレーム７上に設置した荷物ケースである。
【００６４】
なお、図示の実施例の場合、連結支持部材１４の中間部は、装置本体フレーム１の前部傾斜部２の足踏用駆動軸２５の軸受部分に立ち上げた支柱部材１８により強固に支持されている。
また、４０は後輪１３の車軸１２に設けたディスクブレーキで、ハンドル１９の後輪ブレーキレバー４１により、ブレーキワイヤ４２を通じて操作することができるように構成してある。同様に、前輪ブレーキ４３はハンドル１９の前輪ブレーキレバー４４により、ブレーキワイヤ４５を通じて操作することができるように構成してある。その他、４７は前輪泥除け、４８は後輪泥除けである。
【００６５】
次に、本発明によれば、背もたれ５１を一体に具備する座席シート５０は、その取付台５３が装置本体フレーム１のパイプ状の後部水平部６に移動調整機構を介して前後方向に位置調整可能に設けてある。座席シート５０の移動調整機構は、取付台５３の下端部のガイド枠部が後部水平部６を跨ぐ形で摺動自在に移動するように構成してある。
【００６６】
また、本発明の実施例によれば、前輪操舵軸３の軸受部材４には、左右横方向、ほぼ水平に左右対称に支持バー部材６０を設け、該支持バー部材６０に位置調整可能な連結枠５９を介してハンドル１９の幅に匹敵する間隔で前照灯６２を配置し、前輪前方を広い範囲で照射することができるように構成してある。
【００６７】
また、支持バー部材６０の先端部には、位置調整可能な取付金具６１が設けてあり、図５乃至図６に記載のように、カバー体６５の前部６４を位置調整可能に取り付けるように構成してあり、カバー体６５の前照灯部７７に前照灯６２が合致するように構成してある。
また、カバー体６５の後部６６は、後輪支持フレーム７に着脱可能に取り付けてある。
【００６８】
カバー体６５は、前部６４と後部６６とが、前部連結枠６７，６８及び後部連結枠部６９，７１を介してカバー体６５の中央より後方に位置して設けた天井部７０で一体化されており、前面窓部７２と前側窓部７３とからなるフロント窓、後面窓部７４と後側窓部７５とからなるリヤ窓、側面窓部７６を有する着脱可能なドア７８を具備しており、前後及び側面に広い視野が得られるように構成してある。
また、前面窓部７２にはワイパー７９を設けて、雨天に備えることができる。
また、前部連結枠部６７，６８及び後部連結枠部６９，７１は窓部を着脱する柔軟なゴム又は合成樹脂製の弾性保持部を具備しており、窓部の着脱を容易に行えるように構成してある。
【実施例２】
【００６９】
上記の構成からなる足踏式発電健康装置において、本発明は、図７に示す実施例の場合、カバー体６５の天井部７０の表面に沿って、前記蓄電池３６に補給電力を供給する自然エネルギー発電システムとして、多数の太陽電池モジュール５２からなる太陽電池を配設してある。実施例では、天井部７０と太陽電池モジュール５２は接着部５４によって一体に接着してある。なお、太陽電池モジュール５２はカバー体６５の適宜な場所に配置することができるから、太陽電池の設置面積を拡大することができると共に、カバー体６５の形状を維持して空気抵抗を低減することができ、また、カバー体６５のデザイン上の自由度を増すこともできる。
【実施例３】
【００７０】
また、図８に示す実施例では、カバー体６５の一部を太陽電池を構成する太陽電池モジュール５２で一体に構成してあり、走行する際に空気抵抗を受け難くすることができ、太陽電池を設けた部分の電気の配線を容易にし、且つ、カバー体６５の材料コストを削減することができると共に、そのカバー部分に太陽電池を設置する作業を不要にすることができる。
【００７１】
実施例の場合、太陽電池を構成する太陽電池モジュール５２は、合成樹脂、合成ゴム等からなる柔軟性のある弾性体４９によって、周囲を囲む形でカバー体６５に嵌合して固定してある。なお、弾性体４９に代え、又は同時に固定用金具で上下から挟み込んで固定することも可能である。
また、個々の太陽電池モジュール５２は、小型のものに限らず、複数個を太陽電池モジュールユニットとして大型にしたものでも良い。
【実施例４】
【００７２】
更に、図７では天井部７０に突出した形態で設けた太陽電池モジュール５２を、天井部７０に設けた凹部内に埋め込む形態で設置し、太陽電池モジュール５２からなる太陽電池をカバー体６５表面から外方に突出しないように設けることも可能である。
【実施例５】
【００７３】
また、本発明は、上記の自然エネルギー発電カバー体付足踏式発電健康装置において、カバー体６５の窓７２、７３、７４、７５又は７６に設けたサンバイザーに補給自然エネルギー発電システムとして太陽電池を設けることができ、このことにより、カバー体６５の窓から差し込む日照をサンバイザーで遮光している間に太陽電池により蓄電池３６に充電することができる。
【実施例６】
【００７４】
また、本発明は、図９又は図１０に記載のように、上記の自然エネルギー発電カバー体付足踏式発電健康装置において、蓄電池に補給電流を補給するカバー体６５の自然エネルギー発電システムとして、風力発電装置５５を設けた構成を有し、このことにより、風力発電装置５５が風に晒されている状況にあれば、室内、室外、雨天や晴天、昼間、夜間を問わずに、風力発電によって蓄電池に充電することができる。また、風力発電装置５５をカバー体６５の後部側に設けることによって、風力発電装置５５が前窓の視野を遮らない効果がある一方、後輪の加重を大きくして後輪による駆動摩擦を増大することができると共に、前輪を軽くして操舵を軽快にすることができる。
【実施例７】
【００７５】
図９に記載の実施例の場合、風力発電装置５５は、支柱５６の先端部に方向転換自在に設けてあり、ほぼ水平方向に風車羽根５８と風向板６３を一体に具備しており、カバー体６５の後部６６に設けた固定部材５７に支柱５６の下端部を着脱自在に一体に固定可能に設けてある。
風向きによって、風向板６３が風下を向き、風車羽根５８が常時風上に向かって回転するように構成してあり、従って、風車羽根５８の回転速度から風速が測定できると共に、風向きが分かるように構成してあるから、健康装置本体がどの方向からどのくらい強い風を受けているか刻々と分かるように構成することができる。なお、図では省略したが風車羽根５８の周囲を安全カバー枠で覆うことも勿論可能である。
【実施例８】
【００７６】
また、図１０に記載の実施例の場合、風力発電装置５５は、カバー体６５の天井部７０の後部に着脱可能に一体に設けてあり、ほぼ垂直な回転軸を中心に縦方向に設けた羽根車８０が風向きに関係なく回転するように構成してある。風向きによらず、風が吹けば縦置きの羽根車８０は回転するから、風速計としても兼用できる構成であり、従って、健康装置本体が受けている風速を時々刻々に測定することができる。
８１は羽根車８０を覆う安全カバー枠である。
【００７７】
また、上記本発明の実施例において、風力発電装置５５が交流発電機を有し、蓄電池に交流発電機の交流電源からＡＣ／ＤＣコンバータを介して補給電流を補給可能にした構成を有することにより、交流発電機を有する風力発電装置により蓄電池に補給電流を蓄電することができる。
【実施例９】
【００７８】
以上の通り、本発明の発電健康装置本体は、ペダル２４を踏むことで後輪１３が回転し、この後輪１３の回転に伴って発電する蓄電モータ３７を設けてあり、図１１に記載のように、この蓄電モータ３７により発電された電力を電気回路基盤８２を介して蓄電池３６に充電するように構成してある。
また、図１１において、太陽電池モジュール５２からなる太陽電池からの電線は、カバー体６５内の配線により電気回路基盤８２を介して蓄電池３６に接続してあり、また同様にして、風力発電装置５５からの電線もカバー体６５内の配線により電気回路基盤８２を介して蓄電池３６に接続してある。
【００７９】
太陽電池５２又は蓄電モータ３７で発電された電力は補給電流として蓄電池３６に補給され、室内又は屋外において、足踏駆動しない休憩時や屋外に放置状態のときもカバー体６５によって蓄電池３６に充電を継続することができる。
なお、蓄電池３６としては、イオンを吸着脱する活性炭を電極に使うことで充電と放電を短時間に行うことができ、太陽電池や風力発電装置と組み合わせると力を発揮するキャパシターを使用することが好ましい。
【００８０】
上記の実施例に記載のように、本発明装置は、足踏式駆動力により発電する蓄電モータ３７の足踏発電電流を蓄電する蓄電池３６を有する装置本体に、装置本体のほぼ全体を覆うカバー体６５を設け、該カバー体６５に前記蓄電池３６に補給電流を補給する自然エネルギー発電システムを設けてなる構成を有することにより、室内又は屋外において、足踏式の健康装置において足踏駆動力により発電した足踏発電電流を蓄電池３６に蓄電することができると共に、前記足踏式健康装置のほぼ全体を覆う自然エネルギー発電システムを有する自然エネルギー発電カバー体６５で発電した補給電流を蓄電池３６に補給することができるから、足踏駆動しない休憩時や屋外に放置状態のときもカバー体によって蓄電池に充電を継続することができる。
【実施例１０】
【００８１】
次に、図１２に示す前記電気回路基盤８２の電気制御部９０の実施例の場合、足踏式駆動力により発電する蓄電モータ３７の直流発電機８３のＤＣ５乃至２４Ｖの発電電流をＤＣ／ＤＣコンバータ８４を介してＤＣ２８Ｖの直流電流に昇圧して電流制御回路８５を介してＤＣ２４Ｖの蓄電池３６に供給して蓄電することができるように構成してあり、図示の足踏式発電健康装置において、ＤＣ／ＤＣコンバータ８４から蓄電池３６に供給する供給電流を電流制御回路８５によって増減制御することができるように構成してある。
【００８２】
また、図１２の実施例の場合、足踏駆動する蓄電モータ３７は直流発電機８３であるが、交流発電機であっても勿論良く、その場合には、ＤＣ／ＤＣコンバータ８４に換えてＡＣ／ＤＣコンバータを使用することとなる。
他方、カバー体６５に設けた太陽電池５２からは補助電流が電流制御回路８５を介して蓄電池３６に供給されるように構成してあると共に、風力発電装置５５の交流発電機からはＡＣ／ＤＣコンバータ８６を介してＤＣ２８Ｖの直流電流に整流した補助電流が、電流制御回路８５を介して蓄電池３６に供給することができるように構成してある。
【００８３】
電流制御回路８５にはマイクロコンピュータが組み込まれており、太陽電池５２又は風力発電装置５５から蓄電する補給電流を、前記足踏発電電流に対応して補給するように制御してなる構成を有し、足踏電流量が大きいときには蓄電する補給電流量を小さく制御し、足踏電流量が小さいときには補給電流量を大きくする制御をすることによって、効率よく蓄電池に蓄電できるように構成してある。
【実施例１１】
【００８４】
また、この実施例の場合、足踏発電電流とカバー体６５の補給電流の和が一定以上の場合には、蓄電池３６に対して充電に必要な電流量以上の電流を供給することなく、過剰な電流を装置本体に付帯する他の電気機器８７等に放電して、効率よく蓄電することができると共に、放電電流によりカバー体６５に設けたライト、扇風機、警報機等の電気機器８７を必要に応じて作動することができる。
【実施例１２】
【００８５】
また、この実施例のおいては、足踏発電電流が一定以下の場合には補給電流の放電をゼロにして蓄電池に供給するように制御し、蓄電池の充電をすることができるように構成してある。
また、この実施例のおいて、足踏発電電流に補給電流が比例又は反比例して増減するように選択的に増減制御可能にしてなる構成にすることにより、足踏発電電流が少ないときには比例して補給電流の供給を増大し、多いときには反比例して減少するように選択して増減制御し、蓄電池の充電を効率よく行うことができる。
【実施例１３】
【００８６】
また、本発明装置は、蓄電池３６から他の電気機器８７に電流の供給をすることができると共に、足踏駆動機構の駆動回転軸である車軸１２に設けた駆動モーター３５に供給して足踏駆動を補助することができることは前述の通りである。
また、本発明の他の実施例では、足踏式発電健康装置において、蓄電モータ３７の駆動軸と足踏駆動機構を、足踏駆動機構側からのみ足踏駆動方向に連動回転するように連結してなる構成を有することにより、足踏走行時には前記蓄電モータ３７の駆動軸を足踏回転して発電しながら走行できる一方、蓄電モータ３７の駆動軸の高速回転時や車輪の慣性回転時では足踏駆動を止めて、蓄電モータ３７の発電により蓄電池３６への充電を可能にしながら足を休めることができる。なお、この場合は、蓄電モータ３７からの発電電流に対してカバー体からの補給電流の供給量を反比例するように制御して、補給電流を少なくすることができる。
【実施例１４】
【００８７】
また、本発明の他の実施例は、足踏式発電健康装置において、蓄電モータ３７を足踏式走行駆動機構の駆動軸に設けてなる構成を有することにより、足踏式発電健康装置を走向させながら、足踏式走行駆動機構の駆動軸に設けた蓄電モータ３７を駆動して走行速度や走向路の傾斜や路面状況に対応して、蓄電池３６に供給する供給電流を増減制御することができる。
【実施例１５】
【００８８】
また、本発明の他の実施例は、足踏式発電健康装置において、発電時に、蓄電池に供給する発電電流を増減制御することにより補給電流を増減するように制御してなる構成を有することにより、足踏運動による蓄電モータ３７の発電電流を増減制御して、カバー体からの補給電流を増減制御して蓄電池３６の蓄電状況を適宜に制御することができる。
【００８９】
また、本発明の他の実施例では、足踏式発電健康装置において、外部に設けた家庭用電源と装置本体との間に接続手段を設けてない構成を有することにより、外部の家庭用電源から蓄電池を充電することができないから、足踏駆動機構による蓄電と健康維持運動が欠かせないと共に、家庭用電源として商用電力を使用しない結果として自然環境に負担をかけない効果がある。
【図面の簡単な説明】
【００９０】
【図１】本発明装置の一実施例の要部を取り出して示す概略側面図。
【図２】その要部の概略正面図。
【図３】その要部の概略平面図。
【図４】その実施例の全体を示す概略側面説明図。
【図５】その実施例の概略平面説明図。
【図６】その実施例の概略正面説明図。
【図７】その実施例の要部の一実施形態を示す概略側断面説明図。
【図８】その要部の他の一実施形態を示す概略側断面説明図。
【図９】その他の実施例の概略側面説明図。
【図１０】その他の実施例の概略側面説明図。
【図１１】本発明の一実施例の概略電気回路説明図。
【図１２】本発明の一実施例の概略電気回路説明図。
【符号の説明】
【００９１】
１    装置本体フレーム
２    前部傾斜部
３    前輪操舵軸
４    軸受部材
５    中間湾曲部
６    後部水平部
７    後輪支持フレーム
８    前輪支持フレーム
９    ハブ
１０  前輪
１１  後輪取付フレーム
１２  車軸
１３  後輪
１４  連結支持部材
１５  ハンドル軸
１６  軸受部材
１７  連結補強部材
１８  支柱部材
１９  ハンドル
２０  連動機構
２１、２２  リンク部材
２３  リンク杆
２４  ペダル
２５  足踏用駆動軸
２６  駆動スプロケット
２７  中継スプロケット
２８  第１伝動チェーン
２９  中継スプロケット
３０  後部スプロケット
３１  第２伝動チェーン
３２  後部スプロケット
３３  後輪スプロケット
３４  第３伝動チェーン
３５  駆動モータ
３６  蓄電池
３７  蓄電モータ
３８  取付部材
３９  駆動部カバー体
４０  ディスクブレーキ
４１  後輪ブレーキレバー
４２  ブレーキワイヤ
４３  前輪ブレーキ
４４  前輪ブレーキレバー
４５  ブレーキワイヤ
４６  荷物ケース
４７  前輪泥除け
４８  後輪泥除け
４９  弾性体
５０  座席シート
５１  背もたれ
５２  太陽電池モジュール
５３  取付台
５４  接着部
５５  風力発電装置
５６  支柱
５７  固定部材
５８  風車羽根
５９  連結枠
６０  支持バー部材
６１  取付金具
６２  前照灯
６３  風向板
６４  前部
６５  カバー体
６６  後部
６７，６８  前部連結枠
６９，７１  後部連結枠
７０  天井部
７２  前面窓部
７３  前側窓部
７４  後面窓部
７５  後側窓部
７６  側面窓部
７７  前照灯部
７８  ドア
７９  ワイパー
８０  羽根車
８１  安全カバー枠
８２  電気回路基盤
８３  直流発電機
８４  ＤＣ／ＤＣコンバータ
８５  電流制御回路
８６  ＡＣ／ＤＣコンバータ
８７  電気機器
【図１】
2007185487.tif 000003
【図２】
2007185487.tif 000004
【図３】
2007185487.tif 000005
【図４】
2007185487.tif 000006
【図５】
2007185487.tif 000007
【図６】
2007185487.tif 000008
【図７】
2007185487.tif 000009
【図８】
2007185487.tif 000010
【図９】
2007185487.tif 000011
【図１０】
2007185487.tif 000012
【図１１】
2007185487.tif 000013
【図１２】
2007185487.tif 000014